(57)【要約】      （修正有）【課題】資源を有効に活用して環境に配慮するとともに、視認性の高い情報の表示が可能な標示体を提供する。【解決手段】標示体１０は、表示本体部１１と固定部１２を有する。情報１３を印刷した合成紙あるいは合成木材からなる表示本体部１１を略円錐台形状に構成してなる。【選択図】図１
0003235286.tif 000002
【実用新案登録請求の範囲】
【請求項１】
情報を印刷した合成紙あるいは合成木材からなる表示本体部を略円錐台形状に構成してなる標示体。
【請求項２】
情報が印刷された略扇形の合成紙あるいは合成木材の表示本体部と、
前記表示本体部を略円錐台形状に維持可能となるように該表示本体部の一部に設けられた固定部と、
を有する標示体。
【請求項３】
前記表示本体部を支持する支持部材を備える、
ことを特徴とする請求項１または請求項２に記載の標示体。
【請求項４】
前記表示本体部に注意喚起手段を備える、
ことを特徴とする請求項１から請求項３のいずれか一項に記載の標示体。
【請求項５】
複数の前記表示本体部を連携可能な連携手段を備える、
ことを特徴とする請求項１から請求項４のいずれか一項に記載の標示体。
【考案の詳細な説明】
【技術分野】
【０００１】
本考案は、標示体に関する。
【背景技術】
【０００２】
従来、道路等に設置する樹脂材料からなる略円錐台形状の標示体（標識具・コーン）の表面に、案内や注意喚起を目的として各種情報（文字や図柄）を表示する場合がある。これらの情報の表示方法として、標示体本体に直接印刷したり、標示体に表示体を取り付けるものが知られている（例えば、特許文献１参照）。
【先行技術文献】
【特許文献】
【０００３】
【特許文献１】特開２０２１−１１６６７５号公報
【考案の概要】
【考案が解決しようとする課題】
【０００４】
しかしながら、標示体本体に直接印刷を行う方法では、その材質がプラスチック（一般的には例えば、ポリエチレンなど）の場合には特に、印刷の耐久性が悪く（色褪せが進行しやすく）、屋外等の使用において印刷が劣化し、不鮮明になりやすい問題があった。
【０００５】
また、プラスチック製の標示体（コーン）はその材質の紫外線の硬化などにより外観の劣化が進みやすい問題もある。例えば、店舗前などに設置する場合などでは特に、ひび割れや欠損部の発生などにより見栄えが悪くなると、機能的にはコーンとして問題がなくても、交換・廃棄が繰り返され、資源が無駄になりがちである。
【０００６】
また、例えば特許文献１に記載のようにコーンに別体の表示体を取り付けるような場合、表示体は耐久性・防水性を考慮してプラスチック材料が用いられることも多い。しかしながらプラスチック製の標示体（コーン）や、プラスチック材料による表示体の場合、これら（プラスチック材料）を廃棄する際の環境に及ぼす影響が問題となる。
【０００７】
本考案は、斯かる実情に鑑み、資源を有効に活用して環境に配慮するとともに、視認性の高い情報の表示が可能な標示体を提供しようとするものである。
【課題を解決するための手段】
【０００８】
本考案は、情報を印刷した合成紙あるいは合成木材からなる表示本体部を略円錐台形状に構成してなる標示体に係るものである。
【０００９】
また、本考案は、情報が印刷された略扇形の合成紙あるいは合成木材の表示本体部と、前記表示本体部を略円錐台形状に維持可能となるように該表示本体部の一部に設けられた固定部と、を有する標示体に係るものである。
【考案の効果】
【００１０】
本考案によれば、資源を有効に活用して環境に配慮するとともに、視認性の高い情報の表示が可能な標示体を提供できるという優れた効果を奏し得る。
【図面の簡単な説明】
【００１１】
【図１】本考案の標示体を説明する外観図である。
【図２】本考案の標示体説明する図であり、（Ａ）展開状態の平面図、（Ｂ）組み立て状態を示す正面図、である。
【図３】本考案の標示体の変形例を示す図であり、（Ａ）外観図、（Ｂ）外観図、（Ｃ）上面図である。
【図４】本考案の標示体の変形例を示す図であり、（Ａ）発光ユニットの分解図、（Ｂ）発光ユニットの取り付け例を示す図、（Ｃ）発光ユニットの取り付け例を示す図である。
【図５】本考案の標示体の変形例を示す外観図である。
【図６】本考案の標示体の変形例を示す図であり、（Ａ）展開状態の平面図、（Ｂ）使用状態を示す外観図である。
【考案を実施するための形態】
【００１２】
以下、本考案の実施の形態を、添付図面を参照して説明する。図１は、本考案の標示体１０を説明する図であり、同図（Ａ）は標示体１０の外観の一例を示す正面図であり、同図（Ｂ）が背面図である。図２は、本考案の標示体１０を説明する図であり、同図（Ａ）が標示体１０の組み立て前の展開図であり、同図（Ｂ）が組み立て状態を示す正面図である。
【００１３】
図１に示すように、本考案は、保安や案内のために道路、工事現場、施設内外などに配置される略円錐台形状の標示体１０であって、特に情報１３の表示が可能（表示機能付き）の標示体１０（以下、サインコーン１０という）に係るものである。
【００１４】
同図（Ａ），同図（Ｂ）を参照して、本考案のサインコーン１０は、表示本体部１１と固定部１２（同図（Ｂ）参照）を有する。表示本体部１１は、任意の情報１３を印刷した合成紙あるいは合成木材からなる。合成紙とは、合成樹脂を主原料とし、合成樹脂の特徴を残しつつも木材パルプを主原料とした紙の持つ種々の性質（例えば、広範な印刷・加工性能など）を付与した製品をいう。本考案の合成紙は、その材質としてプラスチック（プラスチックフィルムなど）が僅かに含まれてもよいが、その含有割合は少ない方が望ましく、好適にはプラスチックフィルムが含まれないものをいう。または、合成木材（人工木材ともいう、以下同様）は、木粉とプラスチックを原料とする木材・プラスチック複合材(Wood-plastic  composite：ＷＰＣ)または、原料にリサイクルされた木質系原料やプラスチック原料を一定量用いた木材・プラスチック再生複合材（Wood-Plastic  Recycled  Composite：ＷＰＲＣ）である。本考案の合成木材も特にＷＰＣの場合はプラスチックの含有量が少ないものの方が望ましい。また、本考案ではこれらに適宜の他の材料を混合したものも合成紙あるいは合成木材に含まれる。
【００１５】
表示本体部１１には、任意の情報１３が印刷される。情報１３は例えば、注意書き、案内、標識などを示す文字、図柄などであり、図１の例では、「駐停車禁止」の文字、それを囲む矩形の枠体、略円錐台形の表示本体部１１の周方向に施された帯状の図柄（図１ではハッチングで示す）等である。このサインコーン１０は、例えば、道路、駐車場などに単独で置いて又は複数個並べて、歩行者や車両の通行を案内・規制する交通標識として用いられる。あるいはサインコーン１０は、例えば施設内外や店舗前・道路等に設置して案内標識として用いられる。
【００１６】
表示本体部１１は、図１（Ａ）、同図（Ｂ）に示すように、情報１３が外表に視認可能となるように例えばその外形が略円錐台形状に構成される。より詳細には、表示本体部１１はその頂部Ｔと底部Ｂが開口された筒状の円錐台形状であるが、頂部Ｔの開口の程度（開口の程度が小さい）によっては略円錐台形状であってもよい。
【００１７】
図２を参照して、サインコーン１０（表示本体部１１）は、展開状態では同図（Ａ）に示すように円弧部１１１と半径部１１２を含む略扇形の合成紙あるいは合成木材からなるシートである。そして、表示本体部１１の一部、具体的に略扇形の半径部１１２の少なくとも一方（半径部１１２Ａ）には、他方の半径部１１２Ｂと重ね合わせて固定（接着）可能な固定部１２が設けられる。固定部１２は例えば、接着剤を塗布した領域あるいは両面テープを貼り付けた領域などである。
【００１８】
表示本体部１１は、まず、例えば、図２（Ａ）に示すような略扇状の無地のシートに対し、既知の印刷機（プリンター）によって任意の情報１３を印刷する。そして同図（Ｂ）に示すように一点鎖線を軸として巻き、略円錐台形状に変形するとともに固定部１２にて半径部１１２同士を固定（接着）する。固定部１２により、表示本体部１１は略円錐台形状に維持される。固定部１２は、繰り返し剥離と接着が可能な接着材料により構成されてもよい。
【００１９】
合成紙は、強度や耐水性においてプラスチックフィルムに似た特性を有しており、シート状の表示本体部１１を円錐台形状にするだけで、安定した自立が可能となる。
【００２０】
なお、情報１３を印刷後の表示本体部１１の表面に、例えば防水（撥水）・防汚加工（例えば、ラミネート加工など）を施してもよい。
【００２１】
サインコーン１０の形状、サイズは例えば、従来既知のコーン（三角コーン）などと同程度であるが、所定形状の合成紙（または合成木材）に印刷して組み立て可能であるので、サイズや形状は任意である。例えば、従来既知のコーンと比較して径が細く高さが高い形状とすることも可能であるし、従来既知のコーンと比較して径が太く高さが低い形状とすることも可能である。
【００２２】
本考案によれば、容易且つ安価に、情報１３の表示機能付きの標示体（サインコーン）１０を提供できる。この場合、表示本体部１１は軽量であり、また印刷する情報１３の変更により多種多様な情報１３の表示が可能となる。また、情報１３の表示が不要となった場合などにあっては、表示本体部１１は、図２（Ａ）に示すように固定部１２の固定（接着）を剥離してシート状とし、必要に応じて折り畳むことも可能であり、運搬が容易になるだけでなく、省スペースで収納可能となる。
【００２３】
また、表示本体部１１を例えば合成紙（または合成木材）で構成することにより、色彩・文字等様々な印刷が可能となり、印刷の再現性も高く、発色性も良好となる。さらに、印刷の耐久性も高めることができる。従って標示体１０に対して、長期間にわたり視認性および審美性の高い表示機能を付与することができる。
【００２４】
さらに、サインコーン１０は、略円錐台形で筒状の合成紙あるいは合成木材（のみ）で構成されており、従来既知のプラスチック製コーンと比較して、廃棄時のリサイクル性を高め、また廃棄時の環境に対する負荷を軽減できる。
【００２５】
＜変形例＞
以下、図３から図６を参照して本考案のサインコーン１０の変形例について説明する。これらはいずれもサインコーン１０及びその使用状態を説明する外観図である。
【００２６】
まず、図３は、表示本体部１１に支持部材１５を設ける例である。同図（Ａ），同図（Ｂ）は外観図であり、同図（Ｃ）は上面図である。
【００２７】
支持部材（ベース部）１５はサインコーン１０を支持する部材である。同図（Ａ）に示すように、ベース部１５は、例えばその外周形状が円形状や多角形状の環状の部材であり、略円型の表示本体部１１の底部Ｂの周囲に鍔状に取り付け（着脱）可能である。図１、図２に示すように、サインコーン１０は、表示本体部１１のみでも安定して自立可能であるが、ベース部１５を設けることにより、設置時の安定性をより高めることができる。この場合、ベース部１５も表示本体部１１と同様、合成紙あるいは合成木材で構成するとよい。なお、同図の例では、ベース部１５は表示本体部１１に着脱可能である場合を示したが、ベース部１５は表示本体部１１に一体的に接合していてもよい。例えば、図示は省略するが、ベース部１５はその外周縁部の一部が円弧部１１１（図２（Ａ）に示した展開図参照）に連続して設けられ、組み立てることにより図３（Ｂ）に示すように表示本体部１１の底部Ｂ周囲に鍔状に固定配置されるものであってもよい。
【００２８】
また、ベース部１５を或る程度重量のある材料（例えば、木材など）で構成するか、錘となる部材に合成紙のベース部１５を張り付けるなどすることで、サインコーン１０を安定して配置することができる。
【００２９】
さらに、同図（Ｃ）に示すように、例えば、表示本体部１１の底部Ｂとなる部分に予め切れ込み等を入れるなどしておき、その部分を外側に放射状に折り曲げてベース部１５としてもよい。
【００３０】
図４は、表示本体部１１に注意喚起手段１６を備える例である。注意喚起手段１６は、表示本体部１１（サインコーン１０）を目立たせ、より注意喚起を促す手段である。注意喚起手段１６の一例としては発光ユニット１６が挙げられる。発光ユニット１６は、例えば、同図（Ａ）に示すように、電源アダプター１６１と点滅（点灯）可能なライト１６２、および防水キャップ１６３などを含む。
【００３１】
同図（Ｂ），同図（Ｃ）に示すように注意喚起手段（発光ユニット）１６は、略円錐台形の筒状に構成された表示本体部１１の頂部Ｔの開口部に取り付け可能である。詳細には、例えば電源アダプター１６１とライト１６２は例えば表示本体部１１の内部に収容され、あるいは頂部Ｔの開口部に取り付けられる。そして防水キャップ１６３は電源アダプター１６１とライト１６２を覆うように開口部に取り付けられる。
【００３２】
図示は省略するが、注意喚起手段１６は、表示本体部１１（の存在）を目立たせる手段であればこの例に限らない。注意喚起手段１６は例えば、表示本体部１１の頂部Ｔに取り付け可能な蓄光手段や反射手段（リフレクター）などであってもよい。また、注意喚起手段１６の取り付け位置は表示本体部１１の頂部Ｔに限らず、表示本体部１１の側面部（略円錐台形状の周面部）であってもよい。例えば、注意喚起手段１６は、帯状の基部に取り付けられたライト、帯状の反射ベルトなどを表示本体部１１の側面部に例えば螺旋状に巻き付けるなどしてもよい。
【００３３】
図５は、複数の表示本体部１１を連携可能な連携手段１７を設ける場合の一例である。連携手段１７は例えば、同図（Ａ）、同図（Ｂ）に示すようにその頂部（頭部）に係止リング１７２を備える係止キャップ１７１である。同図（Ａ）に示すように、係止キャップ１７１は、表示本体部１１の頂部Ｔの開口部に取り付け可能であり、係止リング１７２には例えば、同図（Ｂ）に示すようにロープなどの連結手段３０を締結（係止）可能である。これにより、複数のサインコーン１０同士をロープ３０等で連結することができる。
【００３４】
あるいは、同図（Ｃ）に示すように、表示本体部１１の側面（略円錐台形状の周面）に、直接、連携手段１７（例えば、係止リング１７２）を取り付けてもよい。また、同図（Ａ），同図（Ｂ）において係止リング１７２は、係止キャップ１７１の側面（周面）に備えてもよい。
【００３５】
また、図６に示すように、サインコーン１０（表示本体部１１）の側面部に連結部材（ロープや連結棒（コーンバー）など）を挿通可能な穴部１８を設けてもよい。これにより、例えば、同図（Ｂ）に示すように穴部１８にコーンバー２０１を挿通、支持することが可能となり、図５に示す連携手段１７を設けることなく、複数のサインコーン１０を連携することができる。
【００３６】
また、穴部１８の位置は図示のものに限らない。また、穴部１８は略円形状にかぎらず、スリット状または切り込み等であってもよい。
【００３７】
以上、本考案のサインコーン１０は、上記した実施の形態に限定されるものではなく、本考案の要旨を逸脱しない範囲内において種々変更を加え得ることは勿論である。
【００３８】
例えば、図１、図２に示す構成、および図３〜図６に示す変形例の構成は、適宜組み合わせて適用可能である。例えば、図３に示すベース部１５は、図４〜図６のいずれかに示した変形例と組み合わせてもよい。また、図４に示す注意喚起手段１６と図５に示す連携手段１７を共用してもよい。
【００３９】
また、例えば、表示本体部１１は組み立てた状態で略円錐台形状になっていればよく、展開状態では１枚の略扇形状のシートで構成されなくてよい。例えば、展開状態では複数枚のシートにより構成され、夫々を接着するなどして略円錐台形状としてもよい。また、帯状のシートを螺旋状に巻き付け、略円錐台形状としてもよい。
【００４０】
また、図４に示す防水キャップ１６３は、電源アダプター１６１やライト１６２を覆うものでなく、単独で用いてもよい。また、表示本体部１１は、当該防水キャップ１６３や図５に示す係止キャップ１７１、その他用途に応じた任意形状のキャップ１９（図６（Ｂ）参照）が取り付け可能である。
【００４１】
また、本考案の図面に示した情報（文字および／または図柄）１３は一例であり、図示の例に限らず任意の情報１３を印刷可能である。情報１３は文字のみであってもよいし、図柄のみであってもよい。
【００４２】
また、固定部１２は表示本体部１１の形状を略円錐台形状に維持、固定可能なものであれば接着に限らず、ボタンや紐状部材、ワイヤなどであってもよい。
【００４３】
なお、強度を高めるために、表示本体部１１および／またはベース部１５を、他の材料（例えば、ダンボール紙、木材など）に貼り付けてもよい。また、所定の芯部材などに表示本体部１１を被せて使用してもよい。
【符号の説明】
【００４４】
１０    サインコーン
１１    表示本体部
１２    接着部
１３    情報
１５    支持部材（ベース部）
１６    注意喚起手段（発光ユニット）
１７    連携手段
１８    穴部
３０    連結手段
１１１    円弧部
１１２、１１２Ａ、１１２Ｂ    半径部
１６１    電源アダプター
１６２    ライト
１６３    防水キャップ
１７１    係止キャップ
２０１    コーンバー
Ｂ    底部
Ｔ    頂部
【図１】
0003235286.tif 000003
【図２】
0003235286.tif 000004
【図３】
0003235286.tif 000005
【図４】
0003235286.tif 000006
【図５】
0003235286.tif 000007
【図６】
0003235286.tif 000008